(57)【要約】      （修正有）【課題】植物の生育を詳細に長期間に亘って鑑賞することが可能で、かつ室内緑化に有益な鉢植え植物を提供する。【解決手段】鉢植え植物セットは、鉢植え容器１と、鉢植え容器１に入れる育成土２と、育成土２に蒔く植物の種３ａまたは植える植物の苗３ｂと、をセットにし、鉢植え容器１に育成土２を入れて種３ａを蒔きまたは苗３ｂを植え、種３ａまたは苗３ｂから植物を育成する。また、育成土の代わりに育成体を用いることもできる。【選択図】図１
0003147948.tif 000002
【実用新案登録請求の範囲】
【請求項１】
鉢植え容器と、
前記鉢植え容器に入れる育成土と、
前記育成土に蒔く植物の種または植える植物の苗と、
をセットにし、
前記鉢植え容器に前記育成土を入れて前記種を蒔きまたは前記苗を植え、
前記種または前記苗から植物を育成することを特徴とする鉢植え植物セット。
【請求項２】
鉢植え容器と、
前記鉢植え容器に入れる育成体と、
前記育成体に蒔く植物の種または植える植物の苗と、
をセットにし、
前記鉢植え容器に前記育成体を入れて前記種を蒔きまたは前記苗を植え、
前記種または前記苗から植物を育成することを特徴とする鉢植え植物セット。
【請求項３】
請求項１または請求項２に記載の鉢植え樹木セットから育成された植物を有することを特徴とする鉢植え植物。
【考案の詳細な説明】
【技術分野】
【０００１】
この考案は、鉢植え容器で植物を育成する鉢植え植物セットおよび育成した植物を有する鉢植え植物に関するものである。
【背景技術】
【０００２】
従来は、植物の育成方法として、一般の露地植えと主に観賞用としての鉢植えがされ、露地植えは、例えば、図５に示すように、チューリップなどの球根等の種１００を育成土１０１に直接蒔き、所定期間養成して植木鉢１１０に移植してチューリップなどの花１２０を観賞用にしたものがある。
【０００３】
また、観賞用などで市場性が注目されている盆栽用としての鉢植え栽培も、ハウス内で行われていた（特許文献１）。
【特許文献１】特開２００７−１９５５０９号公報
【考案の開示】
【考案が解決しようとする課題】
【０００４】
このように、一般の露地植えと主に観賞用としての鉢植えも、室内で行われることがなく、観賞や室内緑化のために鉢植え植物を室内に置いても、植物が生育した状態であり、植物の生育を詳細に長期間に亘って鑑賞することができなかった。
【０００５】
この考案は、以上の点を考慮してなされたもので、植物の生育を詳細に長期間に亘って鑑賞する可能で、かつ室内緑化に有益な鉢植え植物セットおよび鉢植え植物を提供することを目的としている。
【課題を解決するための手段】
【０００６】
前記課題を解決し、かつ目的を達成するために、この考案は、以下のように構成した。
【０００７】
請求項１に記載の考案は、
鉢植え容器と、
前記鉢植え容器に入れる育成土と、
前記育成土に蒔く植物の種または植える植物の苗と、
をセットにし、
前記鉢植え容器に前記育成土を入れて前記種を蒔きまたは前記苗を植え、
前記種または前記苗から植物を育成することを特徴とする鉢植え植物セットである。
【０００８】
請求項２に記載の考案は、
鉢植え容器と、
前記鉢植え容器に入れる育成体と、
前記育成体に蒔く植物の種または植える植物の苗と、
をセットにし、
前記鉢植え容器に前記育成体を入れて前記種を蒔きまたは前記苗を植え、
前記種または前記苗から植物を育成することを特徴とする鉢植え植物セットである。
【０００９】
請求項３に記載の考案は、
請求項１または請求項２に記載の鉢植え樹木セットから育成された植物を有することを特徴とする鉢植え植物である。
【考案の効果】
【００１０】
前記構成により、この考案は、以下のような効果を有する。
【００１１】
請求項１に記載の考案では、鉢植え容器と、鉢植え容器に入れる育成土と、育成土に蒔く植物の種または植える植物の苗と、をセットして店頭でそのまま販売したり、梱包して販売できる。また、鉢植え植物セットの使用は、鉢植え容器に育成土を入れて植物の種を蒔き、または植物の苗を植えることで、この植物の育成を長期間に亘って鑑賞でき、かつ室内緑化になる。
【００１２】
請求項２に記載の考案では、鉢植え容器と、鉢植え容器に入れる育成体と、育成体に蒔く植物の種または植える植物の苗と、をセットして店頭でそのまま販売したり、梱包して販売できる。また、鉢植え植物セットの使用は、鉢植え容器に育成体を入れて植物の種を蒔き、または植物の苗を植えることで、この植物の育成を長期間に亘って鑑賞でき、かつ室内緑化になる。
【００１３】
請求項３に記載の考案では、請求項１または請求項２に記載の鉢植え植物セットから育成された植物により、長期間に亘って鑑賞でき、かつ室内緑化になる。
【考案を実施するための最良の形態】
【００１４】
以下、この考案の鉢植え植物セットおよび鉢植え植物の実施の形態について説明する。この考案の実施の形態は、考案の最も好ましい形態を示すものであり、この考案はこれに限定されない。
【００１５】
［第１の実施の形態］
図１は第１の実施の形態の鉢植え植物セットおよび鉢植え植物を示す図である。この実施の形態の鉢植え植物セットは、図１（ａ）に示すように、鉢植え容器１と、この鉢植え容器１に入れる育成土２と、育成土２に蒔く植物の種３ａまたは植える植物の苗３ｂと、をセットにしたものである。
【００１６】
この鉢植え植物セットは、鉢植え容器１と、育成土２と、植物の種３ａまたは植物の苗３ｂと、をセットして店頭でそのまま販売することができる。また、図１（ｂ）に示すように、鉢植え容器１と、育成土２と、植物の種３ａまたは植物の苗３ｂは、それぞれダンボール箱９０に入れて梱包して販売できる。
【００１７】
図２は第１の実施の形態の鉢植え植物の育成を示す図である。この実施の形態では、梱包された鉢植え植物セットを購入した場合は梱包を解き、梱包されないで購入した場合はそのまま、例えば鉢植え容器１を室内に置き、この鉢植え容器１に育成土２を入れる。そして、育成土２に植物の種３ａを蒔き、または植物の苗３ｂを植え、コップ４などから水を所定量入れる。所定期間が経過すると、種３ａの場合は、種３ａから根が出て成長し、さらに芽が出て成長し、苗３ｂの場合はそのまま成長する。
【００１８】
このようにして、鉢植え植物セットの使用は、室内に置かれた鉢植え容器１に育成土２を入れ、この育成土２に植物の種３ａを蒔き、または植物の苗３ｂを植え、この植物の育成を長期間に亘って鑑賞でき、かつ室内緑化になる。
【００１９】
［第２の実施の形態］
図３は第２の実施の形態の鉢植え植物セットを示す図である。この実施の形態の鉢植え植物セットは、図３（ａ）に示すように、鉢植え容器１１と、この鉢植え容器１１に入れる育成体１２と、育成体１２に蒔く植物の種１３ａまたは植える植物の苗１３ｂと、をセットにしたものである。
【００２０】
この鉢植え植物セットは、鉢植え容器１１と、育成体１２と、植物の種１３ａまたは植物の苗１３ｂと、をセットして店頭でそのまま販売することができる。また、図３（ｂ）に示すように、鉢植え容器１１と、育成体１２と、植物の種１３ａまたは植物の苗１３ｂは、それぞれダンボール箱９０に入れて梱包して販売できる。
【００２１】
図４は第２の実施の形態の鉢植え植物の育成を示す図である。この実施の形態では、梱包された鉢植え植物セットを購入した場合は梱包を解き、梱包されないで購入した場合はそのまま、例えば鉢植え容器１１を室内に置き、この鉢植え容器１１に育成体１２を入れる。そして、育成体１２に植物の種１３ａを蒔き、または植物の苗１３ｂを植え、コップ４などから水を所定量入れる。所定期間が経過すると、種１３ａの場合は、種１３ａから根が出て成長し、さらに芽が出て成長し、苗１３ｂの場合はそのまま成長する。
【００２２】
このようにして、鉢植え植物セットの使用は、室内に置かれた鉢植え容器１に育成土２を入れ、この育成体１２に植物の種３ａを蒔き、または植物の苗３ｂを植え、この植物の育成を長期間に亘って鑑賞でき、かつ室内緑化になる。
【００２３】
第１及び第２の実施の形態において、鉢植え容器は、材質、形状、寸法などに特に制限はない。材質としては、例えば、ガラス、プラスチック、合成化学紙類、植物材、木製材、金属、（金、銀、銅、鉄、その他合金のすべて）、鈍器、陶器、穀物、竹類などがある。また、形状としては、例えば、丸型、角型（三角、四角、五角、六角、七角、八角等）などがある。また、寸法としては、例えば、卓上、室内床に等々に置くことができる大きさなどである。
【００２４】
育成土は、土壌であれば特に制限はなく、育成用に肥料が用いられている。肥料には有機質肥料と化学肥料があり、有機質肥料は菜種油粕、骨粉、汚泥などの加工残渣や有機性廃棄物を原料に生産されるもので、化学肥料は尿素、燐鉱石、加里塩などを原料として生産されるものである。いずれも、植物に必要な窒素、リン酸、加里などの多量必須元素の成分が一定量以上含まれ、これらを施用することで植物に供給する役割をもつ。
【００２５】
育成体は、例えば不織布、織布などでプレート状、塊状にして土壌、肥料などを充填したものであり、育成土として機能するものであればよい。
【００２６】
この肥料や水は、鉢植え容器の大きさや樹木の種類に応じて、定期的に供給する。
【００２７】
植物としては、種々の種類があり、特に限定されない。例えば、野菜、草花などがある。野菜としては、春菊、トマト、キャベツ、ナス、ねぎ、大根、芋、にんじんなどがある。草花としては、朝顔、パンジー、チューリップ、水仙、ラン、シクラメンなどがある。
【００２８】
この鉢植え植物は、長期間に亘って鑑賞でき、かつ室内緑化になり、かつ温暖化を防止する効果がある。また、店内に置くことで、販促用品、宣伝用（各種）となり、教室に置くことで教材となる。また、贈答用の商品ともなる。
【産業上の利用可能性】
【００２９】
この考案は、鉢植え容器で植物を育成する鉢植え植物セットおよび育成した植物を有する鉢植え植物に適用可能であり、植物の生育を詳細に長期間に亘って鑑賞する可能で、かつ室内緑化に有益である。
【図面の簡単な説明】
【００３０】
【図１】第１の実施の形態の鉢植え植物セットを示す図である。
【図２】第１の実施の形態の鉢植え植物の育成を示す図である。
【図３】第２の実施の形態の鉢植え植物セットを示す図である。
【図４】第２の実施の形態の鉢植え植物の育成を示す図である。
【図５】従来の鉢植え植物の育成を示す図である。
【符号の説明】
【００３１】
１，１１  鉢植え容器
２  育成土
１２  育成体
３ａ，１３ａ  種
３ｂ，１３ｂ  苗
９０  ダンボール箱
【図１】
0003147948.tif 000003
【図２】
0003147948.tif 000004
【図３】
0003147948.tif 000005
【図４】
0003147948.tif 000006
【図５】
0003147948.tif 000007